(57)【要約】【要約書】【課題】  流量計を用いて被検査体の流量特性又は洩れの有無を検査する場合に、流量計の状態を常時セルフチェックする。【解決手段】  流量計を用いて被検査体の流量特性が規定の範囲に入っているか否かを検査する流量検査装置、又は流量計を用いて容器等の洩れの有無を検査する流量検査装置において、流量計の流体吐出側に電磁弁を介して所定流量に設定した流量抵抗設定器を接続し、電磁弁を開閉して流量計の測定値が流量抵抗設定器に設定している流量に相当する値の変化を来すか否かを測定し、所定の流量値変化が測定されたことを検出して流量計は正常と判定する。【選択図】  図１
2005037268.tif 000002
【特許請求の範囲】
【請求項１】
流量計を通じて被検査体に流体圧を印加し、被検査体に流れる流体の流量を上記流量計で計測し、その計測値が規定の範囲に入っているか否かを判別し、被検査体の良否判定する流量検査装置において、
上記流量計の流体吐出側に電磁弁を介して所定流量に設定した流量抵抗設定器を接続し、上記電磁弁を開閉して上記流量計の測定値が上記流量抵抗設定器に設定している流量に相当する値の変化を来すか否かを測定し、所定の流量変化が測定されたことを検出して、上記流量計は正常と判定する流量検査装置。
【請求項２】
流量計を通じて被検査体に流体圧を印加し、上記流量計から流量測定値が発生するか否かにより、上記被検査体の洩れの有無を判定する流量検査装置において、
上記流量計の流体吐出側に電磁弁を介して所定流量に設定した流量抵抗設定器を接続し、上記電磁弁を開閉して上記流量計の測定値が上記流量抵抗設定器に設定している流量に相当する値の変化を来すか否かを測定し、所定の流量値変化が測定されたことを検出して上記流量計は正常と判定する流量検査装置。
【発明の詳細な説明】
【技術分野】
【０００１】
この発明は例えばガス器具等を流れる流体の流量が所定の範囲に入っているか否かを検査する流量検査装置、或は流量計を用いて容器等に洩れが有るか否かを検査する流量検査装置に関し、特に検査に用いる流量計が常時正常に動作しているか否かを自己チェックする機能を提案しようとするものである。
【背景技術】
【０００２】
ガス器具或は自動車の吸気系に用いられる管路部品等では所定の流体圧を与えた状態で、流体が予定した流量で流れることを確認する必要がある。
図７にその検査状況を示す。図中１０は流体圧を発生するここでは空圧源、２０は流量計、３０は被検査体、４０は接続治具、５０は良否判定器を示す。空圧源１０では例えばコンプレッサにより空気を圧縮し、所望の圧力（テスト圧）を持つ圧搾空気を生成する。
空圧源１０で生成した空気圧は流量計２０に印加され、流量計２０を通じて接続治具４０に印加され、接続治具４０に接続された被検査体３０に印加される。被検査体３０を通過した空気圧は被検査体３０の吐出口３１から吐出され、大気に放出される。
【０００３】
流量計２０には一般に電磁弁２１が内蔵され、この電磁弁２１が開閉制御される。電磁弁２１が閉の状態で被検査体３０の交換が行われ、開の状態で被検査体３０の流量検査が実行される。
流量検査は以下の如くして実行される。電磁弁２１を閉の状態に制御し、その状態で接続治具４０に被検査体３０を接続する。電磁弁２１を開き空圧源１０から与えられている空気圧を接続治具４０を通じて被検査体３０に印加する。被検査体３０を通過した空気圧は吐出口３１を通じて大気に放出される。この吐出量に対応する気体流が流量計２０を流れ、その流量に対応した流量測定値ＭＳが流量計２０から出力され、この流量測定値が良否判定器５０に入力される。
【０００４】
良否判定器５０には流量の上限側の設定値ＦＨと下限側の設定値ＦＬ（図８参照）とが設定されており、流量計２０が測定する流量測定値ＭＳがこれらの設定値ＦＨとＦＬの間にあればそのとき接続治具４０に接続されている被検査体３０は良と判定する。測定した流量値が上限側及び下限側の各設定値ＦＨ及びＦＬの範囲から外れている場合は不良と判定する。
【０００５】
図９は流量計２０を用いて洩れ検査のための流量検査装置の構成を示す。図９において、図７との違いは被検査体３０が吐出口３１を持たない点である。つまり、被検査体３０は容器のように本来洩れがあってはならない製品を指す。従って、流量検査は流量計２０が空気圧の流量を検出するか否かにより、被検査体３０の良否が判定される。
【発明の開示】
【発明が解決しようとする課題】
【０００６】
上述した流量検査装置では流量計２０が常時正常に動作することを前提条件としている。然し乍ら、検査を自動化した場合、流量計２０が正常に動作していないことが原因で全ての製品が不良と判定されたり、或は良品として判定される恐れがある。
つまり、図７で説明した流量検査装置において、流量計２０が正常に動作しないために流量測定値ＭＳがどの被検査体に対しても０を出力したとすると、全ての被検査体３０は不良と判定される。
【０００７】
また、図９で説明した流量検査装置において、流量計２０が正常に動作しないために流量測定値ＭＳがどの被検査体３０に対しても０を出力したとすると、全ての被検査体３０を良と判定する不都合が生じる。特に、この図９に示した流量検査装置では、流量計２０の流量測定部が不良でも、或は電磁弁２１が不良で開閉動作しない場合でも流量測定値は０を維持するためどの被検査体も、正常と判定される欠点がある。
この発明の目的はこれらの不都合を解消することができる流量検査装置を提供しようとするものである。
【課題を解決するための手段】
【０００８】
流量計を通じて被検査体に流体圧を印加し、被検査体に流れる流体の流量を流量計で計測し、その計測値が規定の範囲に入っているか否かを判別し、被検査体の良否判定する流量検査装置において、流量計の流体吐出側に電磁弁を介して所定流量に設定した流量抵抗設定器を接続し、電磁弁を開閉して流量計の測定値が流量抵抗設定器に設定している流量に相当する値の変化を来すか否かを測定し、所定の流量変化が測定されたことを検出して、上記流量計は正常と判定する流量検査装置を提案する。
【０００９】
この発明の請求項２では、流量計を通じて被検査体に流体圧を印加し、流量計から流量測定値が発生するか否かにより、被検査体の洩れの有無を判定する流量検査装置において、流量計の流体吐出側に電磁弁を介して所定流量に設定した流量抵抗設定器を接続し、電磁弁を開閉して流量計の測定値が流量抵抗設定器に設定している流量に相当する値の変化を来すか否かを測定し、所定の流量値変化が測定されたことを検出して流量計は正常と判定する流量検査装置を提案する。
【発明の効果】
【００１０】
この発明によれば流量計が正常に動作しているか否かを被検査体の検査毎に確認することができる。流量計が異常になると直ちにこれを検出し、警報を出すことができる。
【発明を実施するための最良の形態】
【００１１】
この発明の流量検査装置は被検査体の検査に加えて、既知の流量を与える流量抵抗設定器を流量計の出力側に接続し、この流量抵抗設定器で既知の流量を発生させ、この既知の流量が流量計で測定されるか否かを監視し、既知の流量が測定されている状態では流量計は正常と判断し、既知の流量が測定されなくなった状態では流量計が不良になったと判定する。
【実施例１】
【００１２】
図１はこの発明の一実施例を示す。図７及び図９と対応する部分には同一符号を付して示す。図１に示す実施例は被検査体３０が所定の流量を発生する製品である場合の実施例を示す。この発明の特徴とする構成は流量計２０の吐出口と接続治具４０との間に分岐管を設け、この分岐管により電磁弁６０を通じて流量抵抗設定器７０を接続し、更に、流量計２０の流量測定信号系に流量計監視器８０を設けた構成とした点である。
【００１３】
流量抵抗設定器７０はいわゆる絞り弁等で構成することができるが、望ましくは本出願人が「特願２００３−１８６４７０号」で提案した流量抵抗設定ノズルを用いるとよい。この先に提案した流量抵抗設定ノズルは流量値の設定を目標値に対して精度よく簡単に行なうことができる点と、設定した流量値が簡単に変更できない構造とした点を特徴としている。設定した流量値が簡単に変更できない構造のため、設定した流量値を長期に渡って安定して維持することができる。この結果として設定値の信頼性を高めることができる。
【００１４】
流量計２０に内蔵した電磁弁２１を閉じた状態で接続治具４０に被検査体３０を接続する。電磁弁２１を開き、被検査体３０に所定の空気圧を印加する。被検査体３０に所定の空気流が流れると、流量計２０はその流量値に対応した電気信号を発信する。この電気信号を良否判定器５０に入力し、この良否判定器５０で被検査体３０の良否を判定する。つまり、図２に示すように、良否判定器５０には流量の上限値ＦＨと下限値ＦＬとが設定されており、測定した流量値がこれら上限値ＦＨと下限値ＦＬとの間に入っていれば被検査体３０は良と判定される。
【００１５】
これと共に、電磁弁６０を開閉操作する。電磁弁６０を開くことにより流量抵抗設定器７０に所定の空気圧が印加され流量抵抗設定器７０に設定した既知の流量値ＲＦが発生する。この既知の流量値ＲＦが流量計２０に流れるため、流量計２０の測量測定値は図２に示すように、被検査体３０を流れる流量測定値ＭＳに対して、更に流量抵抗設定器７０に流れる既知流量値ＲＦが加算される。
【００１６】
流量計２０が正常に動作している場合には、被検査体３０を流れる流量測定値ＭＳに流量抵抗設定器７０に設定した既知の流量値ＲＦを持つ流量が加えられる、流量計監視器８０は電磁弁６０の開と同期して既知の流量値ＲＦが測定値に現れるか否かを監視し、既知の流量値ＲＦが加算されて発生した場合は流量計２０は正常と判定する。電磁弁６０が開いたにも係わらず既知の流量値ＲＦが発生しない場合には流量計２０は不良と判定する。
【実施例２】
【００１７】
図３は図１に示した実施例の第２の実施例を示す。この実施例では流量計２０の吐出口と接続治具４０との間に電磁弁６１を設け、この電磁弁６１で被検査体３０に与える空気圧を遮断し、この状態で電磁弁６０を開いて流量抵抗設定器７０に気体圧を印加し、流量抵抗設定器７０に設定した既知の流量値ＲＦを流量計２０に測定させ、その流量値ＲＦが測定値に現れるか否かを流量監視器８０で監視する構成とした場合を示す。従って、この場合には図４に示すように既知の流量値ＲＦと流量測定値ＭＳを分離して流すことができる。この場合も流量計監視器８０は既知の流量値ＲＦを検出することにより流量計２０が正常に動作しているか否かを監視することができる。尚、図４では流量計２０が正常に動作しているか否かを判定した後に被検査体３０の良否を判定する場合を示したが、その逆に先に流量値ＭＳを測定し、次に既知の流量値ＲＦを測定してもよい。
【実施例３】
【００１８】
図５はこの発明の第３の実施例を示す。この実施例では被検査体３０が容器のような場合の実施例を示す。この場合には被検査体３０が良品であれば流量計２０の流量測定値は０である。従って、流量計２０の流量センサ部分が不良であっても、また電磁弁２１が動作しない状態でも良と判定する不都合が生じるが、この発明では電磁弁２１を開の状態に制御している状態で、電磁弁６０を開閉操作すれば、電磁弁２１が開いていれば流量抵抗設定器７０に既知の流量が流れ、これが流量計２０を流れるから、その流量値ＲＦが流量監視器８０に検出され流量計２０は正常に動作していることが解る。図６はその状態を示す。
【００１９】
電磁弁２１を開の状態に制御しているにも係わらず電磁弁６０を開閉しても既知の流量値ＲＦが検出できない場合は流量計２０は異常と判定される。この場合、流量計監視器８０は警報を発生し、オペレータに知らせることができる。
【産業上の利用可能性】
【００２０】
この発明の活用例としては例えば自動車の吸気系の管路部品が所定の流量特性を具備しているか否かを検査したり、或は容器の洩れの有無を検査する場合に、適用することができる。被検査体の検査と同時に流量計２０が正常か否かも判定するから検査の信頼性は極めて高い。
【図面の簡単な説明】
【００２１】
【図１】この発明の実施例１を説明するためのブロック図。
【図２】図１に示した実施例の動作を説明するためのタイミングチャート。
【図３】この発明の実施例２を説明するためのブロック図。
【図４】図３に示した実施例の動作を説明するためのタイミングチャート。
【図５】この発明の実施例３を説明するためのブロック図。
【図６】図５に示した実施例の動作を説明するためのタイミングチャート。
【図７】従来の技術を説明するためのブロック図。
【図８】図７に示した従来の技術の動作を説明するためのタイミングチャート。
【図９】従来の技術の他の例を説明するためのブロック図。
【符号の説明】
【００２２】
１０      空圧源          ５０      良否判定器
２０      流量計          ６０      電磁弁
２１      電磁弁          ７０      流量抵抗設定器
３０      被検査体        ８０      流量計監視器
４０      接続治具
【図１】
2005037268.tif 000003
【図２】
2005037268.tif 000004
【図３】
2005037268.tif 000005
【図４】
2005037268.tif 000006
【図５】
2005037268.tif 000007
【図６】
2005037268.tif 000008
【図７】
2005037268.tif 000009
【図８】
2005037268.tif 000010
【図９】
2005037268.tif 000011